(57)【要約】【課題】  持ち運びやすいワンタッチ式で収納展開のできる囲炉裏型の折りたたみ式テーブルを提供する。【解決手段】  本発明の折りたたみ式テーブルは、２枚の第１天板１１１，１１２及び４枚の天板部品１２３〜１２６が２枚ずつ前記他端で連結された２枚の第２天板１２１，１２２を第１天板１１１，１１２同士および第２天板１２１，１２２同士が夫々水平状態で対向するように連結した天板部１００と、第１天板１１１，１１２と第２天板１２１，１２２との各連結個所の下方に位置し使用時には所定の角度をなして隣接状態で展開垂下すると共に非使用時には第１天板１１１，１１２または第２天板１２１，１２２の下面に折りたたみ積層される２枚の脚部品２１１，２１２の脚部２００とで構成されている。【選択図】図１
2020146426.tif 000002
【特許請求の範囲】
【請求項１】
天板部（１００）と脚部（２００）とから構成されるものであって、
前記天板部（１００）は、
平坦な矩形状で外辺が内辺よりも長くなるように両端が４５度形状の２枚の第１天板（１１１，１１２）及び平坦な矩形状で外辺が内辺よりも長くなるように一端が４５度形状で他端が直角形状とした４枚の天板部品（１２３〜１２６）が２枚ずつ前記他端で連結されて外辺が内辺よりも長くなる２枚の第２天板（１２１，１２２）で構成し、
前記第１天板（１１１，１１２）同士および前記第２天板（１２１，１２２）同士が夫々水平状態で対向するように前記第１天板（１１１，１１２）の前記両端の一つと前記第２天板（１２１，１２２）の前記一端とを連結して中央に開口部を有する略ロ字形状の前記天板部（１００）を構成し、
前記第１天板（１１１，１１２）と前記第２天板（１２１，１２２）との前記連結個所の下面には前記第１天板（１１１，１１２）の下面に前記第２天板（１２１，１２２）を折りたたみ積層する第１可動連結部材（５１０）を有し、
前記天板部品（１２３〜１２６）同士の連結個所の上面には前記第２天板（１２１，１２２）を折りたたんで前記天板部品（１２３〜１２６）同士を積層する第２可動連結部材（５２０）を有し、
脚部（２００）は、
前記第１天板（１１１，１１２）と前記第２天板（１２１，１２２）との各連結個所の下方に位置し、
使用時には所定の角度をなして隣接状態で展開垂下すると共に非使用時には前記第１天板（１１１，１１２）または前記第２天板（１２１，１２２）の下面に折りたたみ積層される平坦な矩形状の２枚の脚部品（２１１，２１２）を有し、
前記脚部品（２１１，２１２）の夫々の隣接する長辺同士を第３可動連結部材（５３０）で連結し、
前記脚部品（２１１，２１２）の夫々の一方の短辺は前記第１天板（１１１，１１２）と前記第２天板（１２１，１２２）との各連結個所の近傍の下面に連結される第４可動連結部材（５４０）を有していることを特徴とするワンタッチ式折りたたみテーブル。
【請求項２】
前記脚部（２００）は、
前記脚部品（２１１，２１２）の夫々の前記第３可動連結部材（５３０）を設けた長辺とは異なる長辺に前記使用時には所定の角度をなして隣接状態で展開垂下すると共に非使用時には前記脚部品（２１１，２１２）と共に前記第１天板（１１１，１１２）または前記第２天板（１２１，１２２）の下面に折りたたみ積層される平坦な２枚の補強部品（２２２１，２２２）を第５可動連結部材（５２０）で夫々連結し、前記補強部品（２２１，２２２）の夫々の隣接する辺同士を第６可動連結部材（５６０）で連結していることを特徴とする請求項１に記載したワンタッチ式折りたたみテーブル。
【請求項３】
前記第２天板（１２１，１２２）に第７可動連結部材（５７０）により回動可能に設けた略Ｌ字形状の２つの取手部品（３１１，３１２）は
一方の前記第２天板（１２１）を構成する前記天板部品（１２４）の前記外辺または内辺の側面に一つの前記第７可動連結部材（５７０）を中心として略１８０度回転移動可能な取手装着部品（３２１）に一つの軸支連結部材（６１１）によりＬ字の横棒相当個所が前記軸支連結部材（６１１）を中心として回転可能となる前記取手部品（３１１）を設け
他方の前記第２天板（１２２）を構成する前記天板部品（１２６）の前記外辺または内辺の側面に他の前記第７可動連結部材（５７０）を中心として略１８０度回転移動可能な取手装着部品（３２２）に他の軸支連結部材（６１２）によりＬ字の横棒相当個所が前記軸支連結部材（６１２）を中心として回転可能となる前記取手部品（３１２）を設け、
前記非使用時には前記取手部品（３１１，３１２）の各Ｌ字の縦棒相当個所が水平方向に平行して隣接状態で位置する取手部（３００）を構成していることを特徴とする請求項１または請求項２に記載したワンタッチ式折りたたみテーブル。
【発明の詳細な説明】
【技術分野】
【０００１】  本発明は、屋外での使用を主たる目的としたテーブルで、いわゆる囲炉裏型テーブルと言われるワンタッチ式折りたたみテーブルに関する。
【背景技術】
【０００２】  天板に開口部を設け、その開口部内にコンロや七輪といった調理用具、あるいは、焚火やストーブといった暖房器具などを設置可能とした囲炉裏型テーブルが知られており、一般的には各構成部品が分離構造の組み立て式となっているものがほとんどである（例えば、下記特許文献１参照）。
【先行技術文献】
【特許文献】
【０００３】
【特許文献１】実用新案登録第３２０９５７３号
【発明の概要】
【発明が解決しようとする課題】
【０００４】  しかしながら、前記特許文献に記載されているテーブルでは、展開収容の際には組み立て工程といった作業時間を必要とし、取り扱いが必ずしも容易とは言えなかった。【０００５】  また、前記特許文献に記載のテーブルにおいては、分離構造組み立て式の為に部品点数が多くなり、それらの部品をまとめる拘束具や収容運搬の為の袋等の収容物が必要であり、積載時にも不便さを感じることが多かった。
【課題を解決するための手段】
【０００６】  前記課題を解決するために、本発明に係るワンタッチ式折りたたみテーブルは、天板部と脚部とから構成されるものであって、前記天板部は平坦な矩形状で外辺が内辺よりも長くなるように両端が４５度形状の２枚の第１天板及び平坦な矩形状で外辺が内辺よりも長くなるように一端が４５度形状で他端が直角形状とした４枚の天板部品が２枚ずつ前記他端で連結されて外辺が内辺よりも長くなる２枚の第２天板で構成し、前記第１天板同士および前記第２天板同士が夫々水平状態で対向するように前記第１天板の前記両端の一つと前記第２天板の前記一端とを連結して中央に開口部を有する略ロ字形状の前記天板部を構成し、前記第１天板と前記第２天板との前記連結個所の下面には前記第１天板の下面に前記第２天板を折りたたみ積層する第１可動連結部材を有し、前記天板部品同士の連結個所の上面には前記第２天板を折りたたんで前記天板部品同士を積層する第２可動連結部材を有し、脚部は、前記第１天板と前記第２天板との各連結個所の下方に位置し、使用時には所定の角度をなして隣接状態で展開垂下すると共に非使用時には前記第１天板または前記第２天板の下面に折りたたみ積層される平坦な矩形状の２枚の脚部品を有し、前記脚部品の夫々の隣接する長辺同士を第３可動連結部材で連結し、前記脚部品の夫々の一方の短辺は前記第１天板と前記第２天板との各連結個所の近傍の下面に連結される第４可動連結部材を有するものである。【０００７】  さらに本発明は、前記脚部は、前記脚部品の夫々の前記第３可動連結部材を設けた長辺とは異なる長辺に前記使用時には所定の角度をなして隣接状態で展開垂下すると共に非使用時には前記脚部品と共に前記第１天板または前記第２天板の下面に折りたたみ積層される平坦な２枚の補強部品を第５可動連結部材で夫々連結し、前記補強部品の夫々の隣接する辺同士を第６可動連結部材で連結しているものである。【０００８】  さらに本発明は、前記第２天板に第７可動連結部材により回動可能に設けた略Ｌ字形状の２つの取手部品は、一方の前記第２天板を構成する前記天板部品の前記長辺または短辺の側面に前記第７可動連結部材を中心として略１８０度回転移動可能な取手装着部品に軸支連結部材によりＬ字の横棒相当個所が前記軸支連結部材を中心として回転可能となる前記取手部品を設け、他方の前記第２天板を構成する前記天板部品の前記長辺または短辺の側面に前記第７可動連結部材を中心として略１８０度回転移動可能な取手装着部品に軸支連結部材によりＬ字の横棒相当個所が前記軸支連結部材を中心として回転可能となる前記取手部品を設け、前記非使用時には前記取手部品の各Ｌ字の縦棒相当個所が水平方向に平行して隣接状態で位置する取手部を構成しているものである。
【発明の効果】
【０００９】  本発明に係るワンタッチ式折りたたみテーブルは、天板及び脚部の主要構成部として構成されており、各部品を可動連結部材により連結し一体連動を可能とすることにより、天板及び脚部の展開（使用時）または収納（非使用時）といった１つの動作によって天板及び脚部の設置及び片付けを容易に行うことができる。【００１０】  また、前記主要構成部はすべて接続され完全に一体化されているので、運搬時や収容時である非使用時においても袋などのテーブル本体以外の物が不要であり、携帯性に優れ持ち運びが容易となる。【００１１】  さらに、前記主要構成部がすべて板状で構成され、非使用時は折り畳んで積層された階層構造を有することになる為、構造上中空部が生じない事によって積載の際は重荷重にも耐えられる形態となり、重量物の積重ねも可能となり、積載時の耐荷重性能が向上する。【００１２】  そして、可搬時に使用する取手部を有するが、取手部についても折りたたみ式とし、前記主要構成部の内側に収容可能とした為、非使用時の平面化が可能となり積載性に優れた形状をとれる。
【図面の簡単な説明】
【００１３】
【図１】  本発明の第１実施形態の使用時の斜視図である。
【図２】  同上の非使用時の斜視図である。
【図３】  同上の使用時から非使用時への展開図である。
【図４】  本発明の第２実施形態の使用時の斜視図である。
【図５】  同上の非使用時の斜視図である。
【図６】  同上の使用時から非使用時への展開図である。
【図７】  本発明の第３実施形態の要部説明図である。
【発明を実施するための形態】
【００１４】  以下、本発明の第１実施形態を図１〜図３に基づいて説明するが、図１は、使用時の斜視図、図２は、非使用時の斜視図（ａ）とその分解図（ｂ）、図３は、使用時から非使用時への途中を下方からみた展開図（ａ）と上方から見た展開図（ｂ）である。
【００１５】  本発明に係るワンタッチ式折りたたみテーブルは天板部１００と脚部２００、固定部４００とから構成される。
【００１６】  天板部１００は、例えば木製の長方形のような平坦な矩形状で外辺が内辺よりも長くなるように両端が４５度形状の２枚の第１天板１１１，１１２及び平坦な矩形状で外辺が内辺よりも長くなるように一端が４５度形状で他端が直角形状とした４枚の天板部品１２３〜１２６が２枚ずつ前記他端で連結されて外辺が内辺よりも長くなる２枚の第２天板１２１，１２２で構成してある。
【００１７】  なお、第１天板１１１，１１２の各横の長さに対して第２天板１２１  １２２のそれらが同等もしくは短くなるように設定してある。
【００１８】  第１天板１１１，１１２同士および第２天板１２１，１２２同士が夫々水平状態で対向するように第１天板１１１，１１２の前記両端の一つと第２天板１２１，１２２の前記一端とを連結して中央に開口部を有する略ロ字形状の天板部１００を構成している。
【００１９】  第１天板１１１，１１２と第２天板１２１，１２２との前記連結個所の下面に調整部品１３１を夫々有し、第１天板１１１，１１２の下面に第２天板１２１，１２２を折りたたみ積層する第１可動連結部材５１０を有している。
【００２０】  天板部品１２３〜１２６同士の連結個所の上面には第２天板１２１，１２２を折りたたんで天板部品１２３〜１２６同士を積層する第２可動連結部材５２０を有している。
【００２１】  脚部２００は、第１天板１１１，１１２と第２天板１２１，１２２との各連結個所の下方に位置している。
【００２２】  使用時には所定の角度をなして隣接状態で展開垂下すると共に非使用時には第１天板１１１，１１２または第２天板１２１，１２２の下面に折りたたみ積層される平坦な矩形状の２枚の脚部品２１１，２１２を有している。
【００２３】  脚部品２１１，２１２の夫々の隣接する長辺同士を第３可動連結部材５３０で連結している。
【００２４】  脚部品２１１，２１２の夫々の一方の短辺は第１天板１１１，１１２と第２天板１２１，１２２との各連結個所の近傍の下面に連結される第４可動連結部材５４０を有している。
【００２５】  固定部４００は、第二天板１２１，１２２の天板部品１２３〜１２６同士の連結箇所の長辺側下面に位置している。
【００２６】  天板部品１２３，１２５の下面には夫々固定部品４１２、４１４を有し、天板部品１２４，１２６の下面には夫々固定部品４１１、４１３を有する。
【００２７】  固定部品４１１、４１３には夫々固定部材４２１，４２３を有し、固定部品４１２，４１４には夫々固定部材４２２，４２４を有する。
【００２８】  テーブルの収納方法について説明する
【００２９】  使用時は、第２天板１２１，１２２の天板部品１２３〜１２６同士を固定している固定部材４２１，４２２、固定部材４２３，４２４を分離し固定を解除する。
【００３０】  第１〜４可動連結部材５１０〜５４０が稼働可能状態となるので、第１天板１１１，１１２の開口部側を図１の上面側に持ち上げる。
【００３１】  図３のように、第２天板１２１は第２可動連結部材５２０を軸に天板部材１２３，１２４が、第２天板１２２は、第２可動連結部材５２０を軸に天板部材１２５，１２６が夫々上面同士を合わせるように動作する
【００３２】  上記動作と同動し脚部品２２１，２２２が第３、第４可動連結部材５３０、５４０を軸に脚部品２２１と２２２が平面部を合わせるように動作しする。
【００３３】  第２天板１２１，１２２と脚部２００が折りたたまれ第１天板１１１１１２の下面部に積層構造をなして収容され図２のような非使用時の形態を成す。
【００３４】  対向する固定部材４２１，４２４と、対向する固定部材４２２，４２３とを固定し、非使用時形態を維持する。
【００３５】使用する際は。上記手順を逆に行い、持ち上げる面は第１天板１１１．１１２の外側面となる。
【００３６】  次に、本発明の第２実施形態を図４〜図６に基づいて説明するが、図４は、使用時の斜視図、図５は、非使用時の斜視図（ａ）とその分解図（ｂ）、図６は、使用時から非使用時への上方から見た展開図であり、前記第１実施形態と同一個所には同一符号を付して、その詳細な説明を省く。
【００３７】  脚部２００は、脚部品２１１，２１２の夫々の第３可動連結部材５３０を設けた長辺とは異なる長辺に前記使用時には所定の角度をなして隣接状態で展開垂下すると共に非使用時には脚部品２１１，２１２と共に第１天板１１１，１１２または第２天板１２１，１２２の下面に折りたたみ積層される平坦な２枚の補強部品２２１，２２２を第５可動連結部材５５０で夫々連結している。
【００３８】  補強部品２２１，２２２の夫々の隣接する辺同士を第６可動連結部材５６０で連結している。
【００３９】  補強部材２２１，２２２を追加する場合は固定部４００の設置場所確保のため、脚部品２１１，２１２の形状を図４〜６に示すように片辺を斜めとするなど固定部４００の設置場所を確保する必要がある。
【００４０】  固定部４００は、第２天板１２１，１２２の天板部品１２３〜１２６同士の連結箇所の短辺側下面に位置している。
【００４１】テーブルの収納方法は第１実施形態と同じである。
【００４２】  次に、本発明の第３実施形態を図７の要部説明図に基づいて説明するが、前記第１，２実施形態と同一個所には同一符号を付して、その詳細な説明を省く。
【００４３】  第２天板１２１，１２２に第７可動連結部材５７０により回動可能に設けた略Ｌ字形状の２つの取手部品３１１，３１２を有する。
【００４４】  一方の第２天板１２１を構成する天板部品１２４の外辺または内辺の側面に一つの前記第７可動連結部材５７０を中心として略１８０度回転移動可能な取手装着部品３２１に一つの軸支連結部材６１１によりＬ字の横棒相当個所が軸支連結部材６１１を中心として回転可能となる取手部品３１１を設けている。
【００４５】  他方の第２天板１２２を構成する天板部品１２６の外辺または内辺の側面に他の第７可動連結部材５７０を中心として略１８０度回転移動可能な取手装着部品３２２に他の軸支連結部材６１２によりＬ字の横棒相当個所が軸支連結部材６１２を中心として回転可能となる取手部品３１２を設けている。
【００４６】  前記非使用時には取手部品３１１，３１２の各Ｌ字の縦棒相当個所が水平方向に平行して隣接状態で位置する取手部３００を構成するようになっている。
【００４７】  前記使用時には取手部３００は第７可動連結部材５７０を閉じる形態に磁石等を用いて固定できるようにする。
【００４８】  取手使用の際は図７（ａ）の矢印の向きに取手部品３１１，３１２と取手連結部品３２１，３２２を第７可動連結部材５７０の回動軸に沿って天板部品１２４，１２６の側面側に持ち上げる。
【００４９】  天板部品１２４，１２６の側面に回動した取手装着部品３２１，３２２と軸支連結部材６１１，６１２で連結されている取手部品３１１，３１２を図７（ｂ）の矢印のように取手部品３１１．３１２の各Ｌ時の縦棒箇所が平行になるように軸支連結部材６１１，６１２を軸に夫々回動させる。
【００５０】  取手部品３１１，３１２にはＬ字縦棒部分上部に突起がありＬ棒縦部分下部には上記突起と大きさの同じ穴が開いているので、図７（ｃ）の矢印のように取手部品３１１の突起が取手部品３１２の穴に、取手部品３１２の突起が取手部品３１１の穴に入るようにひねりながら取手部品３１１，３１２の各Ｌ字の縦棒相当個所が水平方向に平行して隣接状態で位置するように回動させる。
【００５１】  取手部品３１１，３１２の各Ｌ字の縦棒相当個所が水平方向に平行して隣接状態となり、取手部品３１１，３１２の夫々の突起と穴が結合することにより、取手部分３００が構成される。
【００５２】  取手部分３００を収納する場合は、上記使用の場合とは逆の手順を行う。
【００５３】  なお、本発明は、前記実施形態１〜３に限られるものではなく、第１天板１１１，１１２や第２天板１２１，１２２（天板部品１２３〜１２６）の材料は、木製に限らず、例えば金属製、樹脂製でも良い。
【００５４】  同様に、他の構成品についても、材料は適宜選択可能である。
【００５５】  また、上記各実施形態で示した第１可動連結部材５１０、第２可動連結部材５２０、第３可動連結部材５３０、第４可動連結部材５４０、第５可動連結部材５５０、第６可動連結部材５６０、第７可動連結部材５７０としては、例えば開き戸や開き蓋などの開く建具を支え開閉できるようにする部品である所謂丁番（蝶番）が使用できる。
【００５６】  同様に丁番の他部品自体に同様の機構を持たせた場合など、動作が問題なく可動可能であれば得に部材を特定しなくてもよい。
【００５７】  なお脚部２００は非使用時に天板部１００の内部に折りたたみ積層され収納されるので、前記天板部１００の厚さ調整用の調整部品１３１を使用し厚さの調整を行っているが、天板部１００の厚み形状を調整するなどして厚さを合わせても問題はない。
【００５８】  第２実施形態をとる場合は、第３連結部材５３０は必ずしも必要とするものではない。
【００５９】  固定部材４２１〜４２４はある程度の強度を持った容易に分離可能な固定器具（例えばトグルクランプ等）が使用できるが、上記条件を満たせば特に特定する必要はない。
【００６０】  取手部品３１１，３１２と取手装着部品３２１，３２２を回動可能で連結する軸支連結部材６１１，６１２としては、例えばボルトナットが使用できるるが、同様の強度を持ち回動可能で容易に分離できない部品ならば特に指定する必要はない。
【００６１】  非使用時の平面化を実現するためには、固定部品４００は天板部１００の側面より突出しないように設置するのが望ましい。
【符号の説明】
【００６２】１００  天板部
１１１，１１２  第１天板
１２１，１２２  第２天板
１２３〜１２６  天板部品
１３１  調整部品
２００  脚部
２１１，２１２  脚部品
２２１，２２２  補強部品
３００  取手部
３１１，３１２  取手部品
３２１，３２２  取手装着部品
４００  固定部
４１１〜４１４  固定部品
４２１〜４３４  固定部材
５１０  第１可動連結部材
５２０  第２可動連結部材
５３０  第３可動連結部材
５４０  第４可動連結部材
５５０  第５可動連結部材
５６０  第６可動連結部材
５７０  第７可動連結部材
６１１，６１２  軸支連結部材
【図１】
2020146426.tif 000003
【図２】
2020146426.tif 000004
【図３】
2020146426.tif 000005
【図４】
2020146426.tif 000006
【図５】
2020146426.tif 000007
【図６】
2020146426.tif 000008
【図７】
2020146426.tif 000009